(57)【要約】【課題】排紙通知機能及び省エネ機能を損なうことなく、排紙ランプの点灯或いは消灯とモードの遷移を制御する用紙処理装置、用紙処理方法及び用紙処理システムを提供する。【解決手段】用紙処理部３６と、排紙部３７に排紙された用紙を検出する排紙検出部３８と、照明部３９と、用紙処理部３６及び排紙検出部３８に対して、所定の供給量で電力が供給される第１モード３０と、第１モード３０より少ない供給量で電力が供給される第２モード３１とのモードの遷移を制御する制御部３５とを備え、制御部３５は、排紙検出部３８が非検出状態の場合、照明部３９を消灯させ、排紙検出部３８が検出状態の場合、照明部３９を点灯させ、検出状態から非検出状態に切り替わった後に、非検出状態から検出状態に再び切り替わった場合、非検出状態から検出状態に再び切り替わる直前のモードを維持し、照明部３９を再点灯させる。【選択図】図７
2017212619.tif 000002
【特許請求の範囲】
【請求項１】
用紙を処理する用紙処理部と、
前記用紙処理部で処理された用紙が排紙される排紙部と、
前記排紙部に排紙された用紙を検出する排紙検出部と、
照明部と、
前記用紙処理部及び前記排紙検出部に対して、所定の供給量で電力が供給される第１モードと、前記第１モードより少ない供給量で電力が供給される第２モードとのモード間の遷移を制御する制御部と、
を備え、
前記制御部は、
前記排紙検出部が用紙を検出していない非検出状態の場合、前記照明部を消灯させ、前記排紙検出部が用紙を検出している検出状態の場合、前記照明部を点灯させ、
前記検出状態から前記非検出状態に切り替わった後に、前記非検出状態から前記検出状態に再び切り替わった場合、前記非検出状態から前記検出状態に再び切り替わる直前のモードを維持し、前記照明部を再点灯させる
用紙処理装置。
【請求項２】
前記制御部は、タイマ機能を備え、
前記検出状態から前記非検出状態に切り替わってから経過した時間が第１時間未満の場合に、前記非検出状態から前記検出状態に再び切り替わったとき、前記照明部を再点灯させ、
前記検出状態から前記非検出状態に切り替わってから経過した時間が前記第１時間以上の場合に、前記非検出状態から前記検出状態に再び切り替わったとき、前記照明部を再点灯させない
請求項１に記載の用紙処理装置。
【請求項３】
前記制御部は、
前記検出状態から前記非検出状態に切り替わってから経過した時間が前記第１時間未満の場合に、前記第１モードから前記第２モードへの遷移要求を受け付けたとき、前記排紙検出部への電力の供給を行ったまま前記第２モードへ遷移する
請求項２に記載の用紙処理装置。
【請求項４】
前記制御部は、
前記検出状態から前記非検出状態に切り替わってから経過した時間が前記第１時間以上の場合に、前記第１モードから前記第２モードへの遷移要求を受け付けたとき、前記排紙検出部への電力の供給を止めて前記第２モードへ遷移する
請求項３に記載の用紙処理装置。
【請求項５】
前記制御部は、
前記用紙処理部が処理を終了してから経過した時間が前記第１時間よりも長い第２時間以上の場合、前記照明部を消灯させる
請求項２〜４のいずれか１項に記載の用紙処理装置。
【請求項６】
前記制御部は、
前記用紙処理部、前記排紙検出部及び前記照明部に対して、電力の供給を行わない第３モードへのモードの遷移を制御し、
前記第２モードの状態において、前記照明部が点灯している場合に前記第３モードへの遷移の要求を受け付けたとき、前記第３モードへは遷移しない
請求項１〜５のいずれか１項に記載の用紙処理装置。
【請求項７】
用紙処理部で処理された用紙が排紙される排紙部の用紙を検出する排紙検出部が用紙を検出していない非検出状態の場合、照明光を発する照明部を消灯させ、前記排紙検出部が用紙を検出している検出状態の場合、前記照明部を点灯させる点灯制御ステップと、
前記検出状態から前記非検出状態に切り替わった後に、前記非検出状態から前記検出状態に再び切り替わった場合、前記非検出状態から前記検出状態に再び切り替わる直前のモードを維持し、前記照明部を再点灯させる再点灯制御ステップと、を含む
用紙処理方法。
【請求項８】
用紙を処理する用紙処理部と、
前記用紙処理部で処理された用紙が排紙される排紙部と、
前記排紙部に排紙された用紙を検出する排紙検出部と、
前記用紙処理部及び前記排紙検出部に対して、所定の供給量で電力が供給される第１モードと、前記第１モードより少ない供給量で電力が供給される第２モードとのモード間の遷移を制御する制御部と、を有する用紙処理装置と、
前記用紙処理装置と通信可能な外部装置と、
を備えた用紙処理システムであって、
前記制御部は、
前記排紙検出部が用紙を検出していない非検出状態の場合、前記非検出状態であることを示す第１信号を前記外部装置へ出力し、前記排紙検出部が用紙を検出している検出状態の場合、前記検出状態であることを示す第２信号を前記外部装置へ出力し、
前記検出状態から前記非検出状態に切り替わった後に、前記非検出状態から前記検出状態に再び切り替わった場合、前記非検出状態から前記検出状態に再び切り替わる直前のモードを維持し、前記検出状態であることを示す前記第２信号を前記外部装置へ出力し、
前記外部装置は、受信した前記第１信号又は前記第２信号に応じて、前記検出状態又は前記非検出状態であることを提示する
用紙処理システム。
【発明の詳細な説明】
【技術分野】
【０００１】
本発明は、用紙処理装置、用紙処理方法及び用紙処理システムに関する。
【背景技術】
【０００２】
ファクシミリ装置などの画像データを印刷する機能を有した用紙処理装置は、印字済みの記録紙が排紙トレイに排紙されるが、排紙トレイ内の記録紙である排紙記録紙の有無が用紙処理装置の筺体形状によっては外部から視認されにくい場合がある。特に、胴内排紙型の用紙処理装置では、排紙記録紙の有無が外部から視認されにくい場合が多い。そのため、ユーザは排紙記録紙を取り忘れることが多かった。そこで、従来の用紙処理装置は、排紙ランプを用紙処理装置に搭載し、当該排紙ランプの点灯及び消灯によって排紙記録紙の有無をユーザに通知する排紙通知機能を備える。しかしながら、ユーザが、排紙記録紙束をまとめて取り出し、当該ユーザに関係する記録紙だけを抜き取り、残った記録紙を排紙トレイに戻す場合がある。ユーザが記録紙を排紙トレイに戻した場合、排紙記録紙が一時的に取り出されたことにより、排紙ランプが消灯したままとなり、排紙通知機能が十分に発揮されない問題がある。
【０００３】
そこで、従来、排紙ランプの再点灯制御を行う用紙処理装置が画像形成装置として開示されている（例えば、特許文献１参照）。特許文献１に記載された画像形成装置において、排紙トレイからファクシミリ受信用紙束を取り出した後に一部の用紙を排紙トレイに戻す場合、ユーザは画像形成装置に備えられたインフォメーションランプ点灯スイッチを押下する。こうすることで、インフォメーションランプは再点灯する。これにより、ユーザが排紙トレイから一時的にファクシミリ受信用紙束を取り出しても、インフォメーションランプによってファクシミリ受信用紙の存在を通知することが可能である。
【０００４】
ところで、近年、ある効果と同等の効果を少ないエネルギーで得られるようにする省エネルギー（省エネ）の機能が注目されている。そこで、画像形成装置は、通常モードとは別に、画像形成装置に備えられた一部の電子部品或いは装置に電力の供給を行わない、つまり、待機電力量がより低い省エネモードが備えられる。画像形成装置は、モードを遷移させる指示を受け付ける、通常モードと省エネモードとのモード間でモードを遷移する省エネ機能を備える。省エネモードから通常モードへ遷移する場合、モードの遷移が制御されるための要求は、例えば、省エネボタンの押下などのユーザによる直接要求がある。また、モードの遷移が制御されるための要求は、例えば、モードを遷移させる時刻指定などの画像形成装置の内部で生成された内部要求、或いはファクシミリ受信等の外部機器からの外部要求などがある。
【先行技術文献】
【特許文献】
【０００５】
【特許文献１】特開２００６−１８０３９７号公報
【発明の概要】
【発明が解決しようとする課題】
【０００６】
しかしながら、上記特許文献１の画像形成装置は、省エネモードなどの画像形成装置が待機電力量の異なる複数の動作モードを画像形成装置が有する場合に、排紙ランプの点灯制御とモードを遷移する制御とを両立させることに関して検討されていない。
【０００７】
そこで、本発明は、排紙通知機能及び省エネ機能を損なうことなく、排紙ランプの点灯或いは消灯とモードの遷移とを制御する用紙処理装置、用紙処理方法及び用紙処理システムを提供する。
【課題を解決するための手段】
【０００８】
上記目的を達成するために、本発明に係る用紙処理装置は、用紙を処理する用紙処理部と、前記用紙処理部で処理された用紙が排紙される排紙部と、前記排紙部に排紙された用紙を検出する排紙検出部と、照明部と、前記用紙処理部及び前記排紙検出部に対して、所定の供給量で電力が供給される第１モードと、前記第１モードより少ない供給量で電力が供給される第２モードとのモード間の遷移を制御する制御部と、を備え、前記制御部は、前記排紙検出部が用紙を検出していない非検出状態の場合、前記照明部を消灯させ、前記排紙検出部が用紙を検出している検出状態の場合、前記照明部を点灯させ、前記検出状態から前記非検出状態に切り替わった後に、前記非検出状態から前記検出状態に再び切り替わった場合、前記非検出状態から前記検出状態に再び切り替わる直前のモードを維持し、前記照明部を再点灯させる。
【０００９】
これにより、第１モードと第２モードとのモード間の遷移と、排紙部の用紙の有無を通知する照明部の点灯或いは消灯の制御とが行われるため、排紙通知機能及び省エネ機能を損なうことなく、照明部の点灯或いは消灯とモードの遷移とが制御される。
【００１０】
また、前記制御部は、タイマ機能を備え、前記検出状態から前記非検出状態に切り替わってから経過した時間が第１時間未満の場合に、前記非検出状態から前記検出状態に再び切り替わったとき、前記照明部を再点灯させ、前記検出状態から前記非検出状態に切り替わってから経過した時間が前記第１時間以上の場合に、前記非検出状態から前記検出状態に再び切り替わったとき、前記照明部を再点灯させなくてもよい。
【００１１】
これにより、照明部の点灯或いは消灯が必要に応じて行われるため、ユーザへより効率良く排紙部にある用紙の通知が行われる。
【００１２】
また、前記制御部は、前記検出状態から前記非検出状態に切り替わってから経過した時間が前記第１時間未満の場合に、前記第１モードから前記第２モードへの遷移要求を受け付けたとき、前記排紙検出部への電力の供給を行ったまま前記第２モードへ遷移してもよい。
【００１３】
これにより、用紙処理装置は、排紙部に用紙があることを通知する機能を維持したまま、省エネモードにモードを遷移する。そのため、使用していない機能を停止させることができるので、待機電力量がより抑制される。
【００１４】
また、前記制御部は、前記検出状態から前記非検出状態に切り替わってから経過した時間が前記第１時間以上の場合に、前記第１モードから前記第２モードへの遷移要求を受け付けたとき、前記排紙検出部への電力の供給を止めて前記第２モードへ遷移してもよい。
【００１５】
これにより、用紙処理装置における使用していない機能を停止させることができるので、待機電力量がより抑制される。
【００１６】
また、前記制御部は、前記用紙処理部が処理を終了してから経過した時間が前記第１時間よりも長い第２時間以上の場合、前記照明部を消灯させてもよい。
【００１７】
これにより、用紙処理装置における使用していない機能を停止させることができるので、待機電力量がより抑制される。
【００１８】
また、前記制御部は、前記用紙処理部、前記排紙検出部及び前記照明部に対して、電力の供給を行わない第３モードへのモードの遷移を制御し、前記第２モードの状態において、前記照明部が点灯している場合に前記第３モードへの遷移の要求を受け付けたとき、前記第３モードへは遷移しなくてもよい。
【００１９】
これにより、ユーザが誤って現在のモードから第３モードへ遷移させようとした場合でも、制御部によりモードの遷移を防止されるため、照明部の消灯が防止される。
【００２０】
また、本発明に係る用紙処理方法は、用紙処理部で処理された用紙が排紙される排紙部の用紙を検出する排紙検出部が用紙を検出していない非検出状態の場合、照明光を発する照明部を消灯させ、前記排紙検出部が用紙を検出している検出状態の場合、前記照明部を点灯させる点灯制御ステップと、前記検出状態から前記非検出状態に切り替わった後に、前記非検出状態から前記検出状態に再び切り替わった場合、前記非検出状態から前記検出状態に再び切り替わる直前のモードを維持し、前記照明部を再点灯させる再点灯制御ステップと、を含む。
【００２１】
これにより、用紙処理装置のモード間の遷移と、排紙部の用紙の有無を通知する照明部の点灯或いは消灯の制御とが行われるため、排紙通知機能及び省エネ機能を損なうことなく、排紙ランプの点灯或いは消灯とモードの遷移とが制御される。
【００２２】
また、本発明に係る用紙処理システムは、用紙を処理する用紙処理部と、前記用紙処理部で処理された用紙が排紙される排紙部と、前記排紙部に排紙された用紙を検出する排紙検出部と、前記用紙処理部及び前記排紙検出部に対して、所定の供給量で電力が供給される第１モードと、前記第１モードより少ない供給量で電力が供給される第２モードとのモード間の遷移を制御する制御部と、を有する用紙処理装置と、前記用紙処理装置と通信可能な外部装置と、を備えた用紙処理システムであって、前記制御部は、前記排紙検出部が用紙を検出していない非検出状態の場合、前記非検出状態であることを示す第１信号を前記外部装置へ出力し、前記排紙検出部が用紙を検出している検出状態の場合、前記検出状態であることを示す第２信号を前記外部装置へ出力し、前記検出状態から前記非検出状態に切り替わった後に、前記非検出状態から前記検出状態に再び切り替わった場合、前記非検出状態から前記検出状態に再び切り替わる直前のモードを維持し、前記検出状態であることを示す前記第２信号を前記外部装置へ出力し、前記外部装置は、受信した前記第１信号又は前記第２信号に応じて、前記検出状態又は前記非検出状態であることを提示する。
【００２３】
これにより、ユーザは、用紙処理装置から離れた場所にいても、排紙部内の用紙の有無を確認できる。
【００２４】
なお、本発明は、用紙処理装置として実現できるだけでなく、その用紙処理装置を構成する処理部をステップとする方法として実現されてもよい。また、本発明は、それらステップをコンピュータに実行させるプログラムとして実現されてもよい。また、本発明は、そのプログラムを記録したコンピュータによって読み取り可能なＣＤ−ＲＯＭなどの記録媒体として実現されてもよい。また、本発明は、そのプログラムを示す情報、データ又は信号として実現されてもよい。そして、それらプログラム、情報、データ及び信号は、インターネット等の通信ネットワークを介して配信されてもよい。
【発明の効果】
【００２５】
本発明により、用紙処理装置及び用紙処理方法は、排紙通知機能及び省エネ機能を損なうことなく、排紙ランプの点灯制御とモードを遷移する制御とがなされる。
【図面の簡単な説明】
【００２６】
【図１】本発明に係る用紙処理装置を含むシステムの構成を示す図
【図２】用紙処理装置の外観を示す斜視図
【図３】用紙処理装置の給紙トレイとＡＤＦとＦＢＳとを取り外したときの外観を示す斜視図
【図４】用紙処理装置のハードウェア構成を示す図
【図５】用紙処理装置のモードの遷移を示す図
【図６】用紙処理装置のモードを遷移する条件の一具体例を示す図
【図７】用紙処理装置の特徴的な機能構成を示すブロック図
【図８】用紙処理装置における排紙ランプの点灯制御の処理手順を示すフローチャート
【発明を実施するための形態】
【００２７】
以下、本発明の実施の形態について図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲だけによって限定される。よって、以下の実施の形態における構成要素のうち、本発明の最上位概念を示す独立請求項に記載されていない構成要素については、任意の構成要素として説明される。
【００２８】
図１は、本発明に係る用紙処理装置１を含むシステムの構成を示す図である。図１に示すように、用紙処理装置１は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ；公衆電話交換回線網）６を介して、画像データ等の情報の送受信の相手先となる相手用紙処理装置２に接続される。また、用紙処理装置１は、ＬＡＮ７を介して端末装置３に接続される。また、用紙処理装置１は、インターネット８による通信が可能なＬＡＮ７とルータ５とを介して端末装置４に接続される。
【００２９】
端末装置３及び端末装置４は、用紙処理装置１に各種指示を与える、或いは画像データの送受信を行うコンピュータであり、本実施の形態では、それぞれ、用紙処理装置１を利用するユーザが使用するパーソナルコンピュータである。
【００３０】
ルータ５は、ＬＡＮ７とインターネット８とを相互接続するゲートウェイとして機能する。
【００３１】
用紙処理装置１は、本発明に係る用紙処理装置１の一例であり、画像データなど情報を受け取り、当該画像データを印刷し、印刷した後に用紙が排紙トレイ１３（図２参照）にあるかどうかをユーザへ通知するための機能を備える点に特徴を有する。用紙処理装置１は、例えば、ＭＦＰ（Ｍｕｌｔｉ  Ｆｕｎｃｔｉｏｎ  Ｐｅｒｉｐｈｅｒａｌｓ；複合機）、複写機、ファクシミリ、スキャナ、プリンタ、或いはフィニッシャーなどである。
【００３２】
次に、用紙処理装置１の具体的な構成について説明する。図２は、用紙処理装置１の一例であるＭＦＰの外観を示す斜視図である。図３は、用紙処理装置１の一例であるＭＦＰの給紙トレイと、ＡＤＦ（Ａｕｔｏ  Ｄｏｃｕｍｅｎｔ  Ｆｅｅｄｅｒ；自動原稿送り装置）と、ＦＢＳ（Ｆｌａｔ  Ｂｅｄ  Ｓｃａｎｎｅｒ）を取り外したときの外観を示す斜視図である。
【００３３】
図２及び図３に示すように、用紙処理装置１は、給紙トレイ９と、用紙カセット１０と、ＡＤＦ１１と、ＦＢＳ１２と、排紙トレイ１３と、排紙ランプ１４と、操作パネル１５と、ディスプレイ１６と排紙センサ１７とを備える。
【００３４】
給紙トレイ９及び用紙カセット１０は、用紙処理装置１で印刷を行うときに、ユーザが用紙を設置する設置部である。用紙処理装置１は、給紙トレイ９又は用紙カセット１０に設置された用紙を利用して印刷を実行する。
【００３５】
ＡＤＦ１１は、自動で複数枚の用紙の紙送りを行い、まとめて用紙の画像を読み取る装置である。
【００３６】
ＦＢＳ１２は、用紙をガラス台などの透明な台の上に設置し、下から光を当ててセンサを動かして用紙の画像を読み取るスキャナである。
【００３７】
排紙トレイ１３は、用紙処理装置１で印刷された用紙が排紙されるトレイである。
【００３８】
排紙ランプ１４は、用紙処理装置１で印刷が終了してからの所定の時間内において、排紙トレイ１３に用紙がある場合に点灯し、用紙がない場合に消灯する光源である。
【００３９】
操作パネル１５は、ユーザからの操作を受け付けるパネルであり、例えば、印刷開始などの指示を受け付ける。
【００４０】
ディスプレイ１６は、液晶表示装置などであり、用紙処理装置１の動作の状態の表示などを行う。
【００４１】
排紙センサ１７は、排紙トレイ１３に用紙があるかどうかの検出を行う。排紙センサ１７は、排紙センサ１７は、排紙トレイ１３に用紙があるかどうかの検出を行えればよく、限定されないが、例えば、光電センサである。
【００４２】
図４は、用紙処理装置１のハードウェア構成を示す図である。具体的には、用紙処理装置１が稼働しているときに、電力が供給される部品或いは装置の一例である。図４に示すように、用紙処理装置１は、さらにＡＤＦモータ１８と、ＦＢＳモータ１９と、スキャナ２０と、プリンタ２１と、ＣＰＵ（Ｃｅｎｔｒａｌ  Ｐｒｏｃｅｓｓｉｎｇ  Ｕｎｉｔ）２２と、省エネマイコン２３と、メモリ２４とを備える。また、用紙処理装置１は、さらにＵＳＢ（Ｕｎｉｖｅｒｓａｌ  Ｓｅｒｉａｌ  Ｂｕｓ）ホスト２５と、モデム２７と、ＮＣＵ（Ｎｅｔｗｏｒｋ  Ｃｏｎｔｒｏｌ  Ｕｎｉｔ）２８と、ＬＡＮＩ／Ｆ（ＬＡＮインターフェース）２９とを備える。
【００４３】
ＡＤＦモータ１８は、ＡＤＦ１１に備えられ、用紙を送る際に駆動するモータである。
【００４４】
ＦＢＳモータ１９は、ＦＢＳ１２に備えられ、用紙の画像を読み取るスキャナ２０を動かすために駆動するモータである。
【００４５】
スキャナ２０は、ＡＤＦ１１及びＦＢＳ１２に備えられ、用紙の内容をＣＩＳ（Ｃｏｎｔａｃｔ  Ｉｍａｇｅ  Ｓｅｎｓｏｒ）等で読み取り、画像データを生成する画像読み取り装置である。
【００４６】
プリンタ２１は、印刷装置であり、例えば、端末装置３からＬＡＮ７を介して送信されてきた画像データ、或いはスキャナ２０からの読み取り内容などを印刷出力する。
【００４７】
ＣＰＵ２２は、メモリ２４に格納された制御プログラムを実行するプロセッサである。また、ＣＰＵ２２は、現在の時刻或いはある時刻から別のある時刻までの時間を測定するタイマ機能を備える。
【００４８】
省エネマイコン２３は、プロセッサであり、制御プログラムを保持する機能及び制御プログラムを実行する機能と、現在の時刻或いはある時刻から別のある時刻までの時間を測定するタイマ機能とを備える。また、省エネマイコン２３は、用紙処理装置１がより待機電力量の少ない第３モード３２のときに、所定のプログラムに従って、モードを遷移する制御を行う。所定のプログラムは、モードを遷移する制御が行われればよく、限定されないが、例えば、所定の時刻でモードが遷移させる場合に、モードの遷移を制御する時刻を監視し、所定の時刻にモードの遷移を制御するためのプログラムである。また、所定のプログラムは、例えば、ファクシミリの受信があった場合にモードを遷移する制御を行うためのプログラムである。
【００４９】
メモリ２４は、ＣＰＵ２２或いは省エネマイコン２３で実行される制御プログラムを格納する。メモリ２４は、例えば、ＲＯＭ（Ｒｅａｄ  Ｏｎｌｙ  Ｍｅｍｏｒｙ）或いはＲＡＭ（Ｒａｎｄｏｍ  Ａｃｃｅｓｓ  Ｍｅｍｏｒｙ）などである。
【００５０】
ＵＳＢホスト２５は、外部のＵＳＢデバイス２６と用紙処理装置１とを接続するアダプタである。
【００５１】
モデム２７は、ファクシミリ送信される画像データを変調する、或いは外部からファクシミリ送信されてきた画像データを復調するファックスモデムである。
【００５２】
ＮＣＵ２８は、ＰＳＴＮ６と接続される回線終端装置である。
【００５３】
ＬＡＮＩ／Ｆ２９は、用紙処理装置１とＬＡＮ７とを接続するアダプタである。
【００５４】
次に、用紙処理装置１が待機電力量の状態を示す各モードについて説明する。図５は、用紙処理装置１のモードの遷移を示す図である。用紙処理装置１は、用紙処理装置１を構成する全ての部品及び装置に電力の供給が行われている通常モードとは別に、用紙処理装置１を構成する一部の部品或いは装置に電力の供給を行わない状態のモードがある。つまり、用紙処理装置１が待機中のときの消費電力量である待機電力量がより低い省エネモードを備える。ユーザからモードを遷移させる要求を受け付けると、制御部３５（図７参照）は、通常モードと省エネモードとのモード間でモードの遷移を制御する。
【００５５】
図５に示すように、用紙処理装置１は、第１モード３０、第２モード３１、又は第３モード３２のモードとなる。
【００５６】
第１モード３０は、用紙処理装置１を構成する全ての電子部品及び装置に電力が供給されている通常モードであり、印刷或いはスキャンなどの動作を実行中のアクティブ状態３０ａ及びすぐにアクティブ状態３０ａに移行できる待機状態３０ｂを含む。そのため、用紙処理装置１が第１モード３０の場合、印刷或いはスキャンなどの動作はすぐに実行される。
【００５７】
第２モード３１は、用紙処理装置１を構成する一部の電子部品或いは装置に電力が供給されない状態である。第２モードでは、例えば、ＡＤＦモータ、ＦＢＳモータ１９、スキャナ２０及びプリンタ２１などに電力の供給は行われない。つまり、第２モード３１は、第１モード３０よりも待機電力量が少ない状態である。そのため、用紙処理装置１が第２モード３１の場合、ユーザによる用紙処理装置を使用する指示があったとき、電力の供給が行われていない一部の電子部品及び装置は、すぐには実行できない状態である。用紙処理装置１は、印刷或いはスキャンなどの動作を実行する場合、第１モードにモードを遷移した後で各動作を実行する。
【００５８】
第３モード３２は、第３モード３２から第１モード３０或いは第２モード３１への遷移を制御する部品以外の、用紙処理装置１を構成する全ての電子部品及び装置に電力の供給を行わない状態である。第３モード３２では、例えば、省エネマイコン２３以外への全ての電子部品及び装置に電力の供給は行われない。つまり、第３モード３２は、第２モード３１よりも待機電力量が少ない状態である。そのため、用紙処理装置１が第３モード３２の場合、ユーザにより用紙処理装置１を使用する指示があったとき、電力の供給が行われていない電子部品及び装置は、すぐには実行できない状態である。用紙処理装置１は、印刷或いはスキャンなどの動作を実行する場合、第１モード３０に遷移した後で各動作を実行する。第３モード３２から第１モード３０への遷移に必要な時間は、第２モード３１から第１モード３０への遷移に必要な時間よりも長いため、ユーザは、用紙処理装置１の使用頻度に応じて、各モードを設定する。
【００５９】
つまり、各モードについてまとめると、第１モード３０は、第２モード３１及び第３モード３２と比較して待機電力量が多く、かつ、印刷或いはスキャンなどの動作をすぐに実行できる通常モードである。第２モード３１は、第３モード３２と比較して、待機電力量が多く、かつ、第１モード３０へ遷移するのに必要な時間が短い“浅い省エネモード”である。第３モード３２は、第２モード３１と比較して、待機電力量は少なく、かつ、第１モード３０へ遷移するのに必要な時間が長い“深い省エネモード”である。
【００６０】
図６は、用紙処理装置１のモードを遷移する条件の一具体例を示す図である。具体的には、用紙処理装置１がユーザから指示を受け付けた場合、或いは設定された制御プログラムの指示がある場合などの要求イベントがあった場合、現在のモードからどのモードへ遷移するかの一例を示した図である。図６に示すように、例えば、現在のモードが第３モード３２の場合、ユーザがＵＳＢデバイス２６をＵＳＢホスト２５に接続させたとき、省エネマイコン２３は、第２モード３１へモードを遷移させる。現在のモードが第１モード３０或いは第２モード３１の場合、ユーザがＵＳＢデバイス２６をＵＳＢホスト２５に接続させたとき、ＣＰＵ２２はモードの遷移をしない。また、例えば、現在のモードが第１モード３０の場合、ユーザが操作パネル１５にある省エネキーを押したとき、ＣＰＵ２２は第２モード３１へ遷移をする。
【００６１】
なお、用紙処理装置１は、ユーザによる直接的な要求により、第２モード３１から第３モード３２へモードを遷移できるような機能を備えてもよい。用紙処理装置１は、第２モード３１から第３モード３２へモードを遷移できるように、例えば、さらに操作パネル１５にスリープキーを備えてもよい。ユーザは、スリープキーを押下することで、用紙処理装置１を第２モード３１から第３モード３２へモードを遷移できるようにしてもよい。また、モードを遷移する条件となる要求イベントは、ユーザからの直接的な要求だけではなく、メモリ２４或いは省エネマイコン２３に保持された制御プログラムでもよい。例えば、スリープタイマとしてＣＰＵ２２に予め時刻を設定しておき、当該時刻になった時にモードが遷移されてもよい。現在のモードが第１モード３０の場合、ＣＰＵ２２は設定された時刻になった時、第２モード３１へ遷移する。また、例えば、省エネ時刻としてＣＰＵ２２に予め時刻を設定しておき、当該時刻になった時にモードが遷移されてもよい。現在のモードが第１モード３０の場合、ＣＰＵ２２は省エネ開始時刻になった時に第２モード３１へ遷移をする。さらに、現在のモードが第２モード３１の場合、ＣＰＵ２２は、省エネ解除時刻になった時に第１モード３０へ遷移する。
【００６２】
次に、用紙処理装置１の特徴的な機能構成について説明する。
【００６３】
図７は、用紙処理装置１の特徴的な機能構成を示すブロック図である。つまり、図２〜図４に示すハードウェア構成によって発揮される用紙処理装置１の機能のうち、本発明に係る機能を示すブロック図である。図７に示すように、用紙処理装置１は、機能的には、入力部３３と、記憶部３４と、制御部３５と、用紙処理部３６と、排紙部３７と、排紙検出部３８と、照明部３９とを備える。
【００６４】
入力部３３は、図４における操作パネル１５等に対応し、印刷の実行或いはモードの遷移の実行等のユーザからの指示を受け付ける処理部である。
【００６５】
記憶部３４は、図４におけるメモリ２４に対応し、ＣＰＵ２２で実行される制御プログラム等を記憶する。
【００６６】
用紙処理部３６は、図４におけるＡＤＦモータ１８、ＦＢＳモータ１９、スキャナ２０及びプリンタ２１などに対応し、用紙の画像を読み取る、或いは用紙に画像データを印刷する処理部である。
【００６７】
排紙部３７は、図２における排紙トレイ１３に対応し、プリンタ２１で印刷された用紙が排紙されるトレイである。
【００６８】
排紙検出部３８は、図４における排紙センサ１７に対応し、排紙部３７に用紙があるかどうかを検出する検出部である。
【００６９】
照明部３９は、図４における排紙ランプ１４に対応し、制御部３５の指示に従って点灯或いは消灯する光源である。
【００７０】
制御部３５は、図４におけるＣＰＵ２２或いは省エネマイコン２３に対応し、入力部３３が受け付けた指示に従って、印刷の実行等を用紙処理装置１が備える電子部品及び装置に実行させる処理部である。
【００７１】
また、制御部３５は、排紙検出部３８が用紙を検出していない非検出状態の場合、照明部３９を消灯させ、排紙検出部３８が用紙を検出している検出状態の場合、照明部３９を点灯させる。また、制御部３５は、排紙検出部３８が検出状態から非検出状態に切り替わった後に、非検出状態から検出状態に再び切り替わった場合、非検出状態から検出状態に再び切り替わる直前のモードを維持し、照明部３９を再点灯させる。つまり、用紙処理装置１が第１モード３０の場合に非検出状態から検出状態に再び切り替わったとき、用紙処理装置１は第１モード３０を維持し、照明部３９を再点灯させる。また、用紙処理装置１が第１モード３０から第２モード３１に切り替わった後に非検出状態から検出状態に再び切り替わった場合、用紙処理装置１は第２モード３１を維持し、照明部３９を再点灯させる。これにより、第１モード３０と第２モード３１とのモード間の遷移と、排紙部３７の用紙の有無を通知する照明部３９の点灯或いは消灯の制御とが行われる。そのため、用紙処理装置１は、排紙通知機能及び省エネ機能を損なうことなく、照明部３９の点灯或いは消灯とモードの遷移とが制御される。
【００７２】
なお、第２モード３１は、排紙検出部３８及び用紙処理部３６に対応する部品或いは装置への総電力供給量が、第１モード３０における排紙検出部３８及び用紙処理部３６への総電力供給量よりも少ない状態であればよい。例えば、第２モード３１は、プリンタ２１には電力が供給され、かつ、ＦＢＳモータ１９及びスキャナ２０等には電力が供給されない状態であってもよい。また、例えば、排紙検出部３８には電力が供給され、かつ、用紙処理部３６には電力が供給されない状態であってもよい。
【００７３】
また、制御部３５は、第２モード３１の状態において、照明部３９が点灯している場合に、第３モード３２への遷移要求を受け付けたとき、第３モード３２へは遷移を制御しない。つまり、照明部３９が点灯している場合、制御部３５は、第３モード３２へ遷移しない。これにより、ユーザによって誤って第３モード３２への遷移が要求された場合或いはスリープタイマによって第３モード３２への遷移が要求された場合でも、制御部３５によりこのようなモードの遷移が防止されるので、照明部３９の消灯が防止される。
【００７４】
なお、第３モード３２から第１モード３０へ遷移した場合、或いは用紙処理装置１の電源を入れた場合などに、排紙部３７に用紙があり、かつ、排紙検出部３８が検出状態になったとき、制御部３５は、照明部３９を点灯させないように制御してもよい。
【００７５】
また、制御部３５は、モード遷移の要求を受けた場合（例えば、図６の要求イベント）に、照明部３９が点灯していないことを条件に、モードを遷移させてもよい。さらに、制御部３５は、排紙検出部３８が検出していないことを条件に、モードを遷移させてもよい。
【００７６】
また、制御部３５は、さらに照明部３９の点灯制御を時間で行う際に、時間を測定するタイマ機能である“ＯＦＦタイマ”を備える。ユーザは、ＯＦＦタイマに設定される第１時間を予め記憶部３４に記憶させておく。
【００７７】
排紙検出部３８が検出状態から非検出状態に切り替わってから経過した時間が第１時間未満の場合に、排紙検出部３８が非検出状態から検出状態に再び切り替わると、制御部３５は、照明部３９を再点灯させる。また、排紙検出部３８が検出状態から非検出状態に切り替わってから経過した時間が第１時間以上の場合に、排紙検出部３８が非検出状態から検出状態に再び切り替わったとき、制御部３５は、照明部３９を再点灯させない。
【００７８】
例えば、第１時間を１分とする。まず、制御部３５は、排紙検出部３８で用紙を検出した時、つまり排紙センサ１７がＯＮの時、照明部３９を点灯させる。次に、ユーザによって用紙が排紙部３７から抜き取られた時、排紙検出部３８が検出状態から非検出状態に切り替わる、つまり、排紙センサ１７がＯＮからＯＦＦに切り替わる。排紙センサ１７がＯＮからＯＦＦに切り替わった時、制御部３５は、照明部３９を消灯させ、ＯＦＦタイマを起動し、時間の測定を開始する。ユーザによって抜き取られた用紙が排紙部３７に戻された場合、排紙センサ１７がＯＦＦからＯＮに再び切り替わる。ここで、排紙センサ１７がＯＮからＯＦＦに切り替わってから経過した時間、つまりＯＦＦタイマが測定した時間が１分未満のとき、制御部３５は、照明部３９を再点灯させ、ＯＦＦタイマを終了する。また、排紙センサ１７がＯＮからＯＦＦに切り替わってから経過した時間が１分以上のときは、制御部３５は、照明部３９を再点灯させない。
【００７９】
また、制御部３５は、ＯＦＦタイマに測定された時間が、第１時間未満の場合に、第１モード３０から第２モード３１へ遷移する要求を受け付けたとき、排紙検出部３８への電力の供給を行ったまま第２モード３１へ遷移する。また、制御部３５は、ＯＦＦタイマに測定された時間が、第１時間以上の場合に、第１モード３０から第２モード３１への遷移要求を受け付けたとき、排紙検出部３８への電力の供給を止めて第２モード３１へ遷移する。つまり、第２モード３１では、排紙検出部３８への電力の供給をしないと設定されてもよいが、排紙検出部３８が検出状態から非検出状態に切り替わってから経過した時間が、第１時間未満の場合、排紙検出部３８への電力の供給を行ったままとする。これにより、制御部３５は、排紙部３７に用紙があることを通知する機能を維持したまま、省エネモードにモードを遷移する。そのため、使用していない機能を停止させることで、待機電力量がより抑制される。
【００８０】
また、制御部３５は、さらに照明部３９の点灯制御を時間で行う際に、ＯＦＦタイマとは別に、時間を測定するタイマ機能である自動消灯タイマを備える。ユーザは、自動消灯タイマに設定される第１時間よりも長い第２時間を予め記憶部３４に記憶させておく。用紙処理部３６が処理を終了してから経過した時間が第２時間になった時点で、制御部３５は、照明部３９を消灯させ、時間の測定をする。
【００８１】
例えば、第２時間を２分とする。用紙処理部３６で印刷を実行したときに、制御部３５は、照明部３９を点灯させ、自動消灯タイマを起動し、時間の測定を開始する。用紙処理部３６が印刷を終了してから経過した時間が２分になった時に、制御部３５は、照明部３９を消灯させ、自動消灯タイマを終了する。なお、自動消灯タイマによる時間の測定は、測定中に排紙検出部３８が非検出状態になった場合でも継続される。また、ＯＦＦタイマ及び自動消灯タイマに設定される時間は、ＯＦＦタイマに設定される時間の方が自動消灯タイマに設定される時間より短ければよく、限定されない。
【００８２】
また、第１時間及び第２時間において、時間の区切りを示すために、例えば、第１時間以上の場合と、第１時間未満の場合とで記載したが、特に限定されるものではない。例えば、第１時間以上の場合と、第１時間未満の場合とで場合分けされている記載は、第１時間を超えた場合と、第１時間以下の場合とでもよい。
【００８３】
次に、以上のように構成された本実施の形態における用紙処理装置１の動作について説明する。
【００８４】
図８は、用紙処理装置１における排紙ランプ１４の点灯制御の処理手順を示すフローチャートである。まず、用紙処理装置１は、入力部３３によってユーザからの指示を受け付けて、印刷を開始する。制御部３５は、印刷が終了した時点（Ｓ１００）で、自動消灯タイマを起動する（Ｓ１０１）。次に、制御部３５は、自動消灯タイマに設定された自動消灯時間が経過しているかどうかの判定を行う（Ｓ１０２）。自動消灯時間が経過していない場合、制御部３５は、ＯＦＦタイマに設定されたＯＦＦタイマ時間が経過しているかどうかの判定を行う（Ｓ１０３）。ＯＦＦタイマ時間が経過していない場合、或いはＯＦＦタイマが起動していない場合、制御部３５は、排紙検出部３８が検出状態かどうかの判定を行う（Ｓ１０４）。制御部３５は、排紙検出部３８が検出状態の場合、つまり、排紙センサ１７がＯＮの場合、照明部３９である排紙ランプ１４を点灯させる（Ｓ１０８）。さらに制御部３５は、ＯＦＦタイマが起動している場合はＯＦＦタイマを停止する（Ｓ１０９）。制御部３５は、排紙センサ１７がＯＮのままだった場合、Ｓ１０２、Ｓ１０３、Ｓ１０４、Ｓ１０８、及びＳ１０９の判定及び動作を繰り返す。制御部３５は、自動消灯タイマに設定された自動消灯時間になった時点で排紙ランプ１４を消灯する（Ｓ１１０）。Ｓ１１０以降に、排紙トレイ１３から用紙の抜き出された場合、或いは排紙トレイ１３に用紙が再度戻された場合でも、制御部３５は、排紙ランプ１４の点灯は行わない。
【００８５】
こうすることで、用紙処理部３６が処理を終了してから経過した時間が第１時間よりも長い第２時間以上の場合、排紙ランプ１４を消灯させることができる。そのため、使用していない機能を停止させることで、用紙処理装置１は、待機電力量がより抑制される。
【００８６】
また、自動消灯時間内に排紙検出部３８が非検出状態になった場合、つまり、排紙センサ１７がＯＮからＯＦＦに変化した場合（Ｓ１０６）、制御部３５は、ＯＦＦタイマを起動する（Ｓ１０７）。次に、制御部３５は、Ｓ１０２及びＳ１０３の判定をした後、排紙検出部３８が検出状態かどうかの判定を行う（Ｓ１０４）。制御部３５は、排紙検出部３８が非検出状態の場合、つまり、排紙センサ１７がＯＦＦの場合、排紙ランプ１４を消灯させる（Ｓ１０５）。制御部３５は、排紙ランプ１４を消灯させた後、排紙センサ１７がＯＦＦのままだった場合、Ｓ１０２、Ｓ１０３、Ｓ１０４、Ｓ１０５及びＳ１０６の判定及び動作を繰り返す。制御部３５は自動消灯時間になった時点（Ｓ１０２）或いはＯＦＦタイマ時間になった時点（Ｓ１０３）で排紙ランプ１４を消灯する（Ｓ１１０）。
【００８７】
また、検出状態から非検出状態に切り替わってから経過した時間が第１時間以上の場合に、第１モード３０から第２モード３１への遷移要求を受け付けたとき、制御部３５は、排紙センサ１７への電力の供給を止めて第２モード３１へ遷移する。こうすることで、現在使用していない機能を停止させることができるので、用紙処理装置１の待機電力量はより抑制される。
【００８８】
また、自動消灯時間内で、かつ、ＯＦＦタイマ時間内に排紙センサ１７がＯＦＦからＯＮになった場合（Ｓ１０４）、制御部３５は、排紙ランプ１４を点灯させる（Ｓ１０８）。さらに制御部３５は、ＯＦＦタイマが起動している場合はＯＦＦタイマを停止する（Ｓ１０９）。制御部３５は、用紙処理装置１によって印刷が行われる毎に上述した手順を繰り返し、自動消灯時間になるまで排紙センサ１７の検出状態によって排紙ランプ１４の点灯を制御する。
【００８９】
つまり、検出状態から非検出状態に切り替わってから経過した時間が第１時間未満の場合に、非検出状態から検出状態に再び切り替わったとき、制御部３５は排紙ランプ１４を再点灯させる。検出状態から非検出状態に切り替わってから経過した時間が第１時間以上の場合に、非検出状態から検出状態に再び切り替わったとき、用紙処理装置１は、排紙ランプ１４を再点灯させない。こうすることで、排紙ランプ１４の点灯或いは消灯が必要に応じて行われるため、ユーザへより効率良く排紙トレイ１３にある用紙の通知が行われる。
【００９０】
また、検出状態から非検出状態に切り替わってから経過した時間が第１時間未満の場合に、第１モード３０から第２モード３１への遷移要求を受け付けたとき、制御部３５は、排紙センサ１７への電力の供給を行い続ける。さらに、制御部３５は、第１モード３０から第２モード３１へ遷移する。こうすることで、用紙処理装置１は、排紙トレイ１３に用紙があることを通知する機能を維持したまま、省エネ機能を有したモードへ遷移する。そのため、用紙処理装置１は、使用していない機能を停止させることができるので、待機電力量がより抑制される。
【００９１】
また、制御部３５は、第２モード３１の状態において、排紙ランプ１４が点灯している場合、第３モード３２へは遷移しない。こうすることで、ユーザが誤って第２モード３１から第３モード３２へ遷移させようとした場合でも、制御部３５によりモードの遷移を防止されるため、排紙ランプ１４の消灯が防止される。
【００９２】
なお、排紙ランプ１４は、消灯した状態で自動消灯時間が経過する（Ｓ１０２）或いはＯＦＦタイマ時間が経過する（Ｓ１０３）場合がある。排紙ランプ１４が消灯した状態の場合、Ｓ１１０において、制御部３５は排紙ランプ１４を消灯させた状態を維持する。また、Ｓ１１０において、制御部３５は、排紙センサ１７への電力の供給を止めてもよいし、用紙が排紙トレイ１３にある状態でも排紙センサをＯＦＦにしてもよく、限定されない。また、印刷中に用紙が不足していることなどによるエラーにより印刷が中断された場合、制御部３５は、自動消灯時間の測定を開始しなくてもよい。また、自動消灯タイマに設定された時間内に印刷が再度行われた場合、制御部３５は、自動消灯タイマによる時間の測定を中止し、当該印刷が終了した時点から自動消灯タイマによる時間の測定を再度開始してもよい。また、ＯＦＦタイマに設定された時間内に印刷が再度行われた場合、制御部３５は、ＯＦＦタイマによる時間の測定を中止し、当該印刷が終了した時点からＯＦＦタイマによる時間の測定を再度開始してもよい。
【００９３】
以上のように、本実施の形態における用紙処理装置によれば、用紙処理装置１は、排紙検出部３８が用紙を検出していない非検出状態の場合、照明部３９を消灯させ、排紙検出部３８が用紙を検出している検出状態の場合、照明部３９を点灯させる。検出状態から非検出状態に切り替わった後に、非検出状態から検出状態に再び切り替わった場合、用紙処理装置１は、非検出状態から検出状態に再び切り替わる直前のモードを維持し、照明部３９を再点灯させる。
【００９４】
こうすることで、用紙処理装置１は、排紙通知機能及び省エネ機能を損なうことなく、排紙ランプ１４の点灯或いは消灯及びモードの遷移が制御される。つまり、排紙トレイ１３から、ユーザによって一時的に用紙が取り出され、省エネモード中に再度用紙が排紙トレイ１３に戻された場合でも、省エネ効果を維持しつつ、排紙ランプ１４は再点灯される。そのため、用紙処理装置１は、省エネ効率が向上され、かつ、排紙トレイ１３内の用紙の有無をユーザへ通知できる。
【００９５】
また、本実施の形態における用紙処理方法によれば、用紙処理装置１は、排紙部３７の用紙を検出する排紙検出部３８が用紙を検出していない非検出状態と、排紙検出部３８が用紙を検出している検出状態とを判別する。用紙処理装置１は、非検出状態の場合には照明光を発する照明部３９を消灯させ、検出状態の場合には照明部３９を点灯させる点灯制御ステップを含む。また、用紙処理装置１は、検出状態から非検出状態に切り替わった後に、非検出状態から検出状態に再び切り替わった場合、非検出状態から検出状態に再び切り替わる直前のモードを維持し、照明部３９を再点灯させる再点灯制御ステップを含む。
【００９６】
こうすることで、用紙処理装置１において、排紙通知機能及び省エネ機能を損なうことなく、排紙ランプ１４の点灯或いは消灯及びモードの遷移の制御が実行される。
【００９７】
以上、本発明の用紙処理装置及び用紙処理方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明に含まれる。
【００９８】
例えば、本実施の形態では、排紙トレイ１３の用紙の有無を排紙ランプ１４によってユーザへ通知したが、例えば、用紙処理装置１はさらにスピーカを備え、アラームでもユーザへ通知できるようにしてもよい。また、排紙トレイ１３の用紙の有無がディスプレイ１６に表示されてもよい。
【００９９】
また、本実施の形態では、用紙処理装置１が排紙ランプ１４を備えた。しかしながら、用紙処理装置１は、排紙ランプ１４を備えていてもよいし、排紙ランプ１４を備えていなくてもよい。例えば、用紙処理装置１は、排紙トレイ１３内の用紙の有無を通知する信号を、通信可能な外部装置へ出力する。外部装置は、照明光或いは音などを発する通知部を備え、当該通知部によってユーザへ排紙トレイ１３内の用紙の有無を通知する。こうすることで、ユーザは、用紙処理装置１から離れた場所にいても、排紙トレイ１３内の用紙の有無を確認できる。
【０１００】
以下、用紙処理装置１と外部装置との用紙処理システムの一具体例について説明する。なお、上述した実施の形態と重複する説明は、適宜、省略される。
【０１０１】
用紙処理装置１は、用紙を処理する用紙処理部３６と、用紙処理部３６で処理された用紙が排紙される排紙部３７と、排紙部３７に排紙された用紙を検出する排紙検出部３８と、制御部３５とを備える。また、用紙処理装置１は、ＬＡＮ７などを介して外部装置と接続される。
【０１０２】
制御部３５は、用紙処理部３６及び排紙検出部３８に対して、所定の供給量で電力が供給される第１モード３０と、当該第１モード３０より少ない供給量で電力が供給される第２モード３１とのモード間の遷移を制御する。
【０１０３】
制御部３５は、さらに、排紙検出部３８が用紙を検出していない非検出状態の場合、非検出状態であることを示す第１信号を外部装置へ出力する。また、制御部３５は、排紙検出部が用紙を検出している検出状態の場合、検出状態であることを示す第２信号を外部装置へ出力する。また、制御部３５は、検出状態から非検出状態に切り替わった後に、非検出状態から検出状態に再び切り替わった場合、非検出状態から検出状態に再び切り替わる直前のモードを維持し、検出状態であることを示す第２信号を外部装置へ出力する。
【０１０４】
外部装置は、受信した第１信号又は第２信号に応じて、用紙処理装置１が検出状態又は非検出状態であることをユーザへ提示する。外部装置による、用紙処理装置１が検出状態又は非検出状態であることをユーザへ提示する方法は、限定されないが、例えば、照明光の出力でもよいし、音の出力でもよいし、画像の表示でもよい。
【０１０５】
外部装置は、例えば、通知部による通知機能のみを備えた装置でもよいし、通知部を備えた相手用紙処理装置２、端末装置３或いは端末装置４などでもよい。通知部は、例えば、照明光を発するランプでもよいし、音を発するスピーカでもよい。また、通知部は、例えば、端末装置３或いは端末装置４などのディスプレイでもよい。ディスプレイによるユーザへの通知方法として、例えば、端末装置３が用紙処理装置１から第１信号或いは第２信号を受け取り、端末装置３のディスプレイの画面に排紙トレイ１３内の用紙の有無が表示されるようにしてもよい。こうすることで、ユーザは、用紙処理装置１から離れた場所にいても、排紙部３７内の用紙の有無を確認できる。
【産業上の利用可能性】
【０１０６】
本発明は、用紙処理装置として、例えば、ＭＦＰ等として、排紙通知機能及び省エネ機能を損なうことなく、排紙ランプの点灯或いは消灯とモードの遷移とを制御する機能を備える用紙処理装置として、利用することができる。
【符号の説明】
【０１０７】
１  用紙処理装置
２  相手用紙処理装置
３、４  端末装置
５  ルータ
６  ＰＳＴＮ
７  ＬＡＮ
８  インターネット
９  給紙トレイ
１０  用紙カセット
１１  ＡＤＦ
１２  ＦＢＳ
１３  排紙トレイ
１４  排紙ランプ
１５  操作パネル
１６  ディスプレイ
１７  排紙センサ
１８  ＡＤＦモータ
１９  ＦＢＳモータ
２０  スキャナ
２１  プリンタ
２２  ＣＰＵ
２３  省エネマイコン
２４  メモリ
２５  ＵＳＢホスト
２６  ＵＳＢデバイス
２７  モデム
２８  ＮＣＵ
２９  ＬＡＮＩ／Ｆ
３０  第１モード
３０ａ  アクティブ状態
３０ｂ  待機状態
３１  第２モード
３２  第３モード
３３  入力部
３４  記憶部
３５  制御部
３６  用紙処理部
３７  排紙部
３８  排紙検出部
３９  照明部
【図１】
2017212619.tif 000003
【図２】
2017212619.tif 000004
【図３】
2017212619.tif 000005
【図４】
2017212619.tif 000006
【図５】
2017212619.tif 000007
【図６】
2017212619.tif 000008
【図７】
2017212619.tif 000009
【図８】
2017212619.tif 000010